(57)【要約】      （修正有）【課題】窓からの熱の出入りを減らし、冷暖房負荷を抑えることのできる窓を提供する。【解決手段】外側ガラス１４と内側仕切体２６とを備え、室外空間から外側ガラスと内側仕切体の間の中間層３に連通する室外側通気部４と、中間層から室内空間に連通する室内側通気部５を有し、室外空間から中間層に連通する室外側通気部は、室外側通気部の室内側の通気口が内周側に向けて開口して設けてあり、室外と連通して外側ガラスの内側面に沿って一方向に空気が流れ、中間層の端部付近で折り返し、室内と連通して内側仕切体の外側面に沿って他方向に空気が流れることで、室内から室外に逃げる熱を回収し、室内と連通して内側仕切体の外側面に沿って一方向に空気が流れ、中間層の端部付近で折り返し、室外と連通して外側ガラスの内側面に沿って他方向に空気が流れることで、室外から室内に入ってくる熱を室外に捨てる。【選択図】図１
2020125673.tif 000002
【特許請求の範囲】
【請求項１】
外側ガラスと内側仕切体とを備え、室外空間から外側ガラスと内側仕切体の間の中間層に連通する室外側通気部と、中間層から室内空間に連通する室内側通気部を有し、室外空間から中間層に連通する室外側通気部は、室外側通気部の室内側の通気口が内周側に向けて開口して設けてあり、室外と連通して外側ガラスの内側面に沿って一方向に空気が流れ、中間層の端部付近で折り返し、室内と連通して内側仕切体の外側面に沿って他方向に空気が流れることで、室内から室外に逃げる熱を回収し、室内と連通して内側仕切体の外側面に沿って一方向に空気が流れ、中間層の端部付近で折り返し、室外と連通して外側ガラスの内側面に沿って他方向に空気が流れることで、室外から室内に入ってくる熱を室外に捨てることを特徴とする窓。
【請求項２】
外側ガラスと内側仕切体とを備え、室外空間から外側ガラスと内側仕切体の間の中間層に連通する室外側通気部と、中間層から室内空間に連通する室内側通気部を有し、中間層から室内空間に連通する室内側通気部は、室内側通気部の室外側の通気口が内周側に向けて開口して設けてあり、室外と連通して外側ガラスの内側面に沿って一方向に空気が流れ、中間層の端部付近で折り返し、室内と連通して内側仕切体の外側面に沿って他方向に空気が流れることで、室内から室外に逃げる熱を回収し、室内と連通して内側仕切体の外側面に沿って一方向に空気が流れ、中間層の端部付近で折り返し、室外と連通して外側ガラスの内側面に沿って他方向に空気が流れることで、室外から室内に入ってくる熱を室外に捨てることを特徴とする窓。
【請求項３】
外側ガラスと内側仕切体とを備え、室外空間から外側ガラスと内側仕切体の間の中間層に連通する室外側通気部と、中間層から室内空間に連通する室内側通気部を有し、室外空間から中間層に連通する室外側通気部の室内側の通気口の室内側に対向して見付壁が位置しており、見付壁により空気の流れを外側ガラスの内周側に沿わせてあり、室外と連通して外側ガラスの内側面に沿って一方向に空気が流れ、中間層の端部付近で折り返し、室内と連通して内側仕切体の外側面に沿って他方向に空気が流れることで、室内から室外に逃げる熱を回収し、室内と連通して内側仕切体の外側面に沿って一方向に空気が流れ、中間層の端部付近で折り返し、室外と連通して外側ガラスの内側面に沿って他方向に空気が流れることで、室外から室内に入ってくる熱を室外に捨てることを特徴とする窓。
【発明の詳細な説明】
【技術分野】
【０００１】
本発明は、換気を行いつつ熱の出入りを少なくできる窓に関する。
【背景技術】
【０００２】
建物の室内環境は、空調設備で制御していたが、窓からの熱の出入りが多く電気代がかかるため、経済的に優れたものが求められていた。
【発明の概要】
【発明が解決しようとする課題】
【０００３】
本発明は以上に述べた実情に鑑み、窓からの熱の出入りを減らし、冷暖房負荷を抑えることのできる窓の提供を目的とする。
【課題を解決するための手段】
【０００４】
上記の課題を達成するために請求項１記載の発明による窓は、外側ガラスと内側仕切体とを備え、室外空間から外側ガラスと内側仕切体の間の中間層に連通する室外側通気部と、中間層から室内空間に連通する室内側通気部を有し、室外空間から中間層に連通する室外側通気部は、室外側通気部の室内側の通気口が内周側に向けて開口して設けてあり、室外と連通して外側ガラスの内側面に沿って一方向に空気が流れ、中間層の端部付近で折り返し、室内と連通して内側仕切体の外側面に沿って他方向に空気が流れることで、室内から室外に逃げる熱を回収し、室内と連通して内側仕切体の外側面に沿って一方向に空気が流れ、中間層の端部付近で折り返し、室外と連通して外側ガラスの内側面に沿って他方向に空気が流れることで、室外から室内に入ってくる熱を室外に捨てることを特徴とする。
【０００５】
請求項２記載の発明による窓は、外側ガラスと内側仕切体とを備え、室外空間から外側ガラスと内側仕切体の間の中間層に連通する室外側通気部と、中間層から室内空間に連通する室内側通気部を有し、中間層から室内空間に連通する室内側通気部は、室内側通気部の室外側の通気口が内周側に向けて開口して設けてあり、室外と連通して外側ガラスの内側面に沿って一方向に空気が流れ、中間層の端部付近で折り返し、室内と連通して内側仕切体の外側面に沿って他方向に空気が流れることで、室内から室外に逃げる熱を回収し、室内と連通して内側仕切体の外側面に沿って一方向に空気が流れ、中間層の端部付近で折り返し、室外と連通して外側ガラスの内側面に沿って他方向に空気が流れることで、室外から室内に入ってくる熱を室外に捨てることを特徴とする。
【０００６】
請求項３記載の発明による窓は、外側ガラスと内側仕切体とを備え、室外空間から外側ガラスと内側仕切体の間の中間層に連通する室外側通気部と、中間層から室内空間に連通する室内側通気部を有し、室外空間から中間層に連通する室外側通気部の室内側の通気口の室内側に対向して見付壁が位置しており、見付壁により空気の流れを外側ガラスの内周側に沿わせてあり、室外と連通して外側ガラスの内側面に沿って一方向に空気が流れ、中間層の端部付近で折り返し、室内と連通して内側仕切体の外側面に沿って他方向に空気が流れることで、室内から室外に逃げる熱を回収し、室内と連通して内側仕切体の外側面に沿って一方向に空気が流れ、中間層の端部付近で折り返し、室外と連通して外側ガラスの内側面に沿って他方向に空気が流れることで、室外から室内に入ってくる熱を室外に捨てることを特徴とする。
【発明の効果】
【０００７】
請求項１記載の発明による窓は、外側ガラスと内側仕切体とを備え、室外空間から外側ガラスと内側仕切体の間の中間層に連通する室外側通気部と、中間層から室内空間に連通する室内側通気部を有し、室外空間から中間層に連通する室外側通気部は、室外側通気部の室内側の通気口が内周側に向けて開口して設けてあり、室外と連通して外側ガラスの内側面に沿って一方向に空気が流れ、中間層の端部付近で折り返し、室内と連通して内側仕切体の外側面に沿って他方向に空気が流れることで、室内から室外に逃げる熱を回収し、室内と連通して内側仕切体の外側面に沿って一方向に空気が流れ、中間層の端部付近で折り返し、室外と連通して外側ガラスの内側面に沿って他方向に空気が流れることで、室外から室内に入ってくる熱を室外に捨てることで、窓からの熱の出入りを減らし、冷暖房負荷を抑えることができる。
【０００８】
請求項２記載の発明による窓は、外側ガラスと内側仕切体とを備え、室外空間から外側ガラスと内側仕切体の間の中間層に連通する室外側通気部と、中間層から室内空間に連通する室内側通気部を有し、中間層から室内空間に連通する室内側通気部は、室内側通気部の室外側の通気口が内周側に向けて開口して設けてあり、室外と連通して外側ガラスの内側面に沿って一方向に空気が流れ、中間層の端部付近で折り返し、室内と連通して内側仕切体の外側面に沿って他方向に空気が流れることで、室内から室外に逃げる熱を回収し、室内と連通して内側仕切体の外側面に沿って一方向に空気が流れ、中間層の端部付近で折り返し、室外と連通して外側ガラスの内側面に沿って他方向に空気が流れることで、室外から室内に入ってくる熱を室外に捨てることで、窓からの熱の出入りを減らし、冷暖房負荷を抑えることができる。
【０００９】
請求項３記載の発明による窓は、外側ガラスと内側仕切体とを備え、室外空間から外側ガラスと内側仕切体の間の中間層に連通する室外側通気部と、中間層から室内空間に連通する室内側通気部を有し、室外空間から中間層に連通する室外側通気部の室内側の通気口の室内側に対向して見付壁が位置しており、見付壁により空気の流れを外側ガラスの内周側に沿わせてあり、室外と連通して外側ガラスの内側面に沿って一方向に空気が流れ、中間層の端部付近で折り返し、室内と連通して内側仕切体の外側面に沿って他方向に空気が流れることで、室内から室外に逃げる熱を回収し、室内と連通して内側仕切体の外側面に沿って一方向に空気が流れ、中間層の端部付近で折り返し、室外と連通して外側ガラスの内側面に沿って他方向に空気が流れることで、室外から室内に入ってくる熱を室外に捨てることで、窓からの熱の出入りを減らし、冷暖房負荷を抑えることができる。
【図面の簡単な説明】
【００１０】
【図１】本発明の窓の第１実施形態を示す縦断面図である。
【図２】同窓の外窓の上框を拡大して示す縦断面図である。
【図３】外窓の上框の他の実施形態を示す縦断面図である。
【図４】本発明の窓の第２実施形態を示す縦断面図である。
【図５】本発明の窓の第３実施形態を示す内窓上部の縦断面図である。
【図６】本発明の窓の第４実施形態を示す内窓上部の縦断面図である。
【図７】本発明の窓の第５実施形態を示す縦断面図である。
【図８】本発明の窓の第６実施形態を示す縦断面図である。
【図９】本発明の窓の第７実施形態を示す縦断面図である。
【図１０】本発明の窓の第８実施形態を示す縦断面図である。
【図１１】本発明の窓の第９実施形態を示す縦断面図である。
【図１２】本発明の窓の第１０実施形態を示す縦断面図である。
【図１３】同窓の横断面図である。
【図１４】本発明の窓の第１１実施形態を示す縦断面図である。
【発明を実施するための形態】
【００１１】
以下、本発明の実施の形態を図面に基づいて説明する。図１，２は、本発明の窓の第１実施形態を示している。この窓は、建物の窓開口部の室外側に設置した外窓１と、窓開口部の室内側に設置した内窓２とを備える二重窓となっている。
【００１２】
外窓１は、図１に示すように、建物の窓開口部に固定される枠８と、枠８内に引違い状に開閉自在に収めた外障子９ａ及び内障子９ｂとを備えている。枠８は、アルミ形材よりなる上枠１０と下枠１１と左右の縦枠とを枠組みして構成されている。外障子９ａ及び内障子９ｂは、アルミ形材よりなる上框１２と下框１３と戸先框と召合せ框とを框組みし、その内側に外側ガラス１４を嵌め込んで構成されている。
【００１３】
外窓１は、図１に示すように、フレーム（枠又は框、図示のものは上框１２）に室外空間から外窓・内窓間の中間層３に連通する室外側通気部４が設けてあり、室外側通気部４の室内側の通気口６は、フレーム１２のガラス支持部室内側の内周側の見込面に形成してある。より詳細には、上框１２は、図２に示すように、室内側に中空部１５が設けてあり、室外側壁１６と中間の縦壁１７と中空部１５の下壁１８とにそれぞれ通気口１９，２０，６を設けることで、室外空間から外窓・内窓間の中間層３に連通する室外側通気部４が設けてある。室外側壁１６と中間の縦壁１７の通気口１９，２０は、縦長のスリット状であり、左右方向に間隔をおいて多数形成してある。室外側壁１６の室内側には、上框１２の長手方向にスライド自在に設けられ、室外側の通気口１９を開閉自在なシャッター２１が設けてある。また、中間の縦壁１７の室内側には、埃や花粉等の侵入を防ぐフィルター２２が設けてある。中空部１５の下壁１８に設けた通気口６は、内周側に向けて開口して設けてある。
【００１４】
内窓２は、図１に示すように、四周の額縁２３の内周側面に取付けた上枠２４と下枠２５及び左右の縦枠と、上下枠２４，２５間に引違い状に開閉自在に収めた外障子３３ａ及び内障子３３ｂを備えている。枠２４，２５は樹脂製である。外障子３３ａ及び内障子３３ｂは、複層ガラスよりなる内側ガラス（内側仕切体）２６と、内側ガラス２６の周囲を囲む樹脂製の框とを有している。外窓１の枠８と内窓２の枠２４，２５の間には木製の額縁２３があるため、外窓１と内窓２とは熱的に分離されている。
上枠２４の上部には、換気ブレス２７を備えている。換気ブレス２７は、室外側と室内側の見付面に多数の通気孔２８を設け、中間層３から室内空間に連通する室内側通気部５が設けてある。室内側通気部５の室内側には、埃や花粉等の侵入を防ぐフィルター２９が設けてある。
【００１５】
本窓は、樹脂製の枠及び框と複層ガラスを用いた内窓２を設けたことに加え、外窓１の室外側通気部４と中間層３と内窓２の室内側通気部５を通じて室内外を空気が流れることで、空気の流入する方向とは逆方向の熱移動が妨げられ、より一層の断熱効果を発揮する。
冬期の場合について説明すると、換気扇等により室内を負圧に調整し、図１に示すように、本窓を空気が室外から室内に向けて流れるようにする（図中の矢印は、空気の流れを示す）。外窓１の通気部４から流入した冷たい空気（外気）は、室外側通気部４室内側の通気口６が内周側に向けて開口して設けてあることで、外窓１の外側ガラス１４の室内側面に沿うように下向きに流出する。その後、冷たい空気はコールドドラフトにより中間層３の下まで流れてから折り返し、内窓２の内側ガラス２６から室内の熱が伝わることで暖められ、内側ガラス２６の室外側面に沿って上昇し、この間に内側ガラス２６から室外に逃げる熱を空気の流れによって回収する。その後、暖められた空気は内窓２上部の室内側通気部５を通って室内に流入する。空気が室内側通気部５を通過する際にも、室内の熱で暖められた換気ブレス２７や上枠２４の熱を空気の流れによって回収する。そうして暖められた空気を室内に取り入れることで、回収した熱を室内に戻すことができる。
このように、中間層３内を外側ガラス１４の内側面と内側ガラス２６の外側面に沿うように迂回して空気が流れることで、室内から室外に伝わる熱を空気の流れによって回収し、室内に戻すことで、室内から室外への熱の損失がほとんどなくなるので、非常に高い断熱性が得られる。また、外気を暖めて室内に採り込めるので、室内に居る人が冷たい風を感じることがなく、暖房効率も良い。
本窓は、外窓１の室外側通気部４の室内側の通気口６を内周側に向けて開口して設けたことで、中間層３に整流板やブラインド等を設けて中間層３内を仕切らなくても、外窓１の通気部４から出る空気の流れを下向きにして、中間層３内に外側ガラス１４の内側面と内側ガラス２６の外側面に沿うように迂回する空気の流れをつくることができる。
【００１６】
夏期には、換気扇等により室内を正圧に調整し、冬期とは逆に室内から室外に空気が流れるようにする。室内の空気の温度は室外よりも低いので、内窓２の室内側通気部５から出た空気は内側ガラス２６の室外側面に沿って下向きに流れ、その後、中間層３の下部で折り返し、外窓１の外側ガラス１４等の熱が伝わることで外窓１の外側ガラス１４の室内側面に沿って上昇し、この間に外側ガラス１４を通じて室外から室内に入ってくる熱を空気の流れによって回収する。その後、外窓１の室外側通気部４を通って空気が室外に放出される。空気が室外側通気部４を通過する際、上框１２を伝って室内に入ってくる熱を空気の流れによって回収する。そして、空気が室外に放出されることで、外側ガラス１４や上框１２から回収した熱を室外に捨てる。このように室外から室内に伝わる熱を空気の流れによって回収し、室外に捨てることで、空気が流出する方向とは逆方向である室外側から室内側への熱輸送が妨げられ、優れた断熱効果を発揮して、室内が涼しく保たれる。
【００１７】
図３は、外窓１の障子９ａ，９ｂの上框１２の他の実施形態を示している。本実施形態は、上框１２の室外側壁１６と室内側壁３０とに通気口１９，２０を設けると共に、室内側壁３０の室内側にカバー３１を設けることで、室外側通気部４の室内側の通気口６を内周側に向けて開口して設けている。本実施形態によっても、図２の実施形態と同様に、外窓１の通気部４から出る空気の流れを下向きにし、中間層３内に外側ガラス１４の内側面と内側ガラス２６の外側面に沿うように迂回する空気の流れをつくることができる。
【００１８】
図４は、本発明の窓の第２実施形態を示している。本実施形態は、中間層３から室内空間に連通する室内側通気部５の室外側にフィン３８を垂直に垂下して設けることで、室外側通気部５の室外側の通気口７を内周側に向けて開口して設けてある。
このようにすると、冬期において内側ガラス２６の室外側面に沿って上昇した空気が室外側に逆流するのを防ぎ、スムーズに室内側通気部５より室内に導くことができる。また、夏期において室内側から室外側に空気を流す際に、室内側通気部５から中間層３へと流れる空気を、内側ガラス２６の室外側面に沿うように下向きにできるので、冬期と同様に中間層３内に外側ガラス１４の内側面と内側ガラス２６の外側面に沿うように迂回する空気の流れをつくることができる（なお、空気の流れる向きは、冬期とは逆になる。）。
【００１９】
図５は、本発明の窓の第３実施形態を示している。本実施形態は、中間層３から室内空間に連通する室内側通気部５の室外側にカバー３２を設けることで、室内側通気部５の室外側の通気口７を内周側に向けて開口して設けてある。
このようにすると、冬期において内側ガラス２６の室外側面に沿って上昇した空気が室外側に逆流するのを防ぎ、スムーズに室内側通気部５より室内に導くことができる。また、夏期においては、室内側通気部５から中間層３へと流れる空気を、内側ガラス２６の室外側面に沿うように下向きにできる。
【００２０】
図６は、本発明の窓の第４実施形態を示している。内窓２は、フレーム（枠又は框、図示のものは上框３４）に中間層３から室内空間に連通する室内側通気部５が設けてあり、室内側通気部５の室外側の通気口７は、フレーム３４のガラス支持部室外側の内周側の見込面に形成してある。すなわち本実施形態は、内窓２の上枠２４に換気ブレス２７を設けずに、内窓２の障子３３ａ，３３ｂの上框３４に室内側通気部５を設けてあり、室内側通気部５の室外側にカバー片３５を設けることで、室内側通気部５の室外側の通気口７を内周側に向けて開口して設けてある。
本実施形態によっても、図４の実施形態と同様に、冬期において内側ガラス２６の室外側面に沿って上昇した空気が室外側に逆流するのを防ぎ、スムーズに室内側通気部５より室内に導くことができる。また、夏期においては、室内側通気部５から中間層３へと流れる空気を、内側ガラス２６の室外側面に沿うように下向きにできる。上枠２４の換気ブレス２７を無くしたことで、採光面積を広くできる。
【００２１】
図７は、本発明の窓の第５実施形態を示している。本実施形態は、外窓１の上枠１０のアングル３６を内周側に延長して、上框１２が室内側から見て見えないように隠し框にしている。上框１２には、室外側通気部４が室内外方向に連通して設けてあり、室外側通気部４の室内側の通気口２０の室内側に対向してアングル３６の見付壁３７が位置している。
冬期において、外窓１の室外側通気部４から流入した空気は、アングル３６の見付壁３７に当たることで下向きに向きを変えて流れ、これにより中間層３内に外側ガラス１４の内側面と内側ガラス２６の外側面に沿うように迂回する空気の流れをつくることができる。
窓に日射を受ける場合には、見付壁３７の室外側の空間に日射により暖められた温かい空気が溜まるが、冬期にはその温かい空気を室内に取り入れることになるので、暖房負荷を抑える効果が高められる。また、夏期には、見付壁３７の室外側の空間に溜まる温かい空気を室外に排出することになるので、冷房負荷を抑える効果が高められる。
【００２２】
図８は、本発明の窓の第６実施形態を示している。本実施形態は、中間層３から室内空間に連通する室内側通気部５の室外側にフィン３８を垂直に垂下して設けることで、室内側通気部５の室外側の通気口７を内周側に向けて開口して設けてある。
このようにすると、冬期において内側ガラス２６の室外側面に沿って上昇した空気が室外側に逆流するのを防ぎ、スムーズに室内側通気部５より室内に導くことができる。また、夏期において室内側から室外側に空気を流す際に、室内側通気部５から中間層３へと流れる空気を、内側ガラス２６の室外側面に沿うように下向きにできるので、冬期と同様に中間層３内に外窓１と内窓２に沿うように迂回する空気の流れをつくることができる。
【００２３】
図９は、本発明の窓の第７実施形態を示している。本実施形態は、外窓１の上枠１０のアングル３６を内周側に延長することで、上框１２が室内側から見て見えないように隠し框にするとともに、額縁２３に溝３８を形成して凹型にすることで、内窓２の上框３４も室内側から見て見えないように隠し框にしている。
冬期において、外窓１の室外側通気部４から流入した空気は、アングル３６の見付壁３７に当たることで下向きに向きを変えて流れ、外側ガラス１４の内側面に沿って下降し、また、内側ガラス２６の外側面に沿って上昇した空気は、溝３８の室外側面３８ａと上枠２４の間を通り内窓２の室内側通気部５へと導かれ、室内側通気部５から出た空気は、溝３８の室内側面３８ｂにガイドされて内周側に向けて流出する。
夏期においても、内窓２の室内側通気部５から中間層３に流出する空気は、溝３８の室外側面３８ａにガイドされて内周側に向けて流出する。
このように、本実施形態によれば、冬期と夏期のいずれの使用状態においても、中間層３内に外側ガラス１４の内側面と内側ガラス２６の外側面に沿うように迂回する空気の流れをつくることができる。外窓１及び内窓２の上框１２，３４を隠し框にしたことで、窓の内観意匠がすっきりしたものになり、採光面積を大きくできる。
【００２４】
図１０は、本発明の窓の第８実施形態を示している。本実施形態は、外窓１の上枠１０のアングル３６を内周側に延長することで、上框１２が室内側から見て見えないように隠し框にするとともに、額縁２３をＬ型にすることで、内窓２の上框３４の内周側縁が外窓１の上框１２の内周側縁と同じ高さになるように、内窓２の上枠２４を外周側にオフセットしている。
冬期において、外窓１の室外側通気部４から流入した空気は、アングル３６の見付壁３７に当たることで下向きに向きを変えて流れ、外側ガラス１４の内側面に沿って下降し、また、内側ガラス２６の外側面に沿って上昇した空気は、額縁２３の垂下部３９と上枠２４の間を通り内窓２の室内側通気部５へと導かれる。
夏期においても、内窓２の室内側通気部５から中間層３に流出する空気は、額縁２３の垂下部３９にガイドされて内周側に向けて流出する。
このように、本実施形態によれば、冬期と夏期のいずれの使用状態においても、中間層３内に外側ガラス１４の内側面と内側ガラス２６の外側面に沿うように迂回する空気の流れをつくることができる。
【００２５】
図１１は、本発明の窓の第９実施形態を示している。本実施形態は、ダブルスキンのカーテンウォールに適用したものであって、躯体開口部に設置した外窓１と内窓２を備え、外窓１には外側ガラス１４が、内窓２には内側ガラス２６がそれぞれ取付けてある。外窓１の上枠１０には室内外方向に連通する室外側通気部４を有し、内窓２の上枠２４には室内外方向に連通する室内側通気部５を有している。外窓１の上枠１０の室外側通気部４の室内側には、躯体４０を隠すように取付けたカバーの垂れ壁４１が対向して位置している。
冬期において、外窓１の室外側通気部４から流入した空気は、垂れ壁４１に当たることで下向きに向きを変えて流れ、これにより中間層３内に外側ガラス１４の内側面と内側ガラス２６の外側面に沿うように迂回する空気の流れをつくることができる。
【００２６】
図１２，１３は、本発明の窓の第１０実施形態を示している。本窓は、単体サッシに適用したものであって、躯体開口部に取付けられる一つの枠４３と、枠４３内の室外側位置に嵌め殺し状態で取付けた外側ガラス１４と、枠４３内の室内側位置に開閉自在に取付けた障子４４とを備える。
枠４３は、上枠４５と下枠４６と左右の縦枠４７，４７とを四周枠組みして構成されている。
障子４４は、上框４８と下框４９と左右の縦框５０，５０とを四周框組みし、その内側に内側ガラス２６を嵌め込んで形成してある。障子４４は、上枠４５と上框４８間、下枠４６と下框４９間に設けたステー５１により、室内側にたてすべり出し式に開くようになっている。
【００２７】
上枠４５は、上枠本体５２と、上枠本体５２の室外側に取付けた上枠カバー５３と、上枠本体５２の室内側に取付けた樹脂カバー５４とを有している。上枠本体５２は、アルミ形材よりなる室外側部５２ａと室内側部５２ｂとを樹脂製の断熱ブリッジ５５，５５で連結して構成してあり、室外側部５２ａと室内側部５２ｂはそれぞれ中空部５６，５７を有している。室外側の中空部５６は、室内側の中空部５７より外周側に位置している。
室外側の中空部５６の内周側壁には、中間層３に通じる通気口５８ａが内周側に向けて開口して設けてあり、その通気口５８ａの下方の室外側及び室内側に見付壁５９ａ，５９ｂが設けてあり、室内側の見付壁５９ｂの下部に整流体６０が垂下して設けてある。室外側の中空部５６の室外側壁には、通気口５８ｂが設けてある。室内側の中空部５７の内周側壁と室内側壁にも通気口５８ｃ，５８ｄが設けてある。
上枠カバー５３は、アルミ形材で形成してあり、上枠本体５２の室外側に取付けて上枠本体５２の室外側壁の通気口５８ｂを覆っている。上枠カバー５３は、上下方向の中間部に設けた横壁６１に、室外に通じる通気口５８ｅが下向きに開口して設けてあり、当該通気口５８ｅには虫の侵入を防ぐために網６２が取付けてある。上枠カバー５３は、通気口５８ｅの室外側に垂下片６３が設けてある。
樹脂カバー５４は、樹脂形材で形成してあり、上枠本体５２の室内側に取付けて上枠本体５２の室内側の通気口５８ｄを覆っている。樹脂カバー５４には、室内外方向に連通する通気口５８ｆが設けてあり、通気口５８ｆにはフィルタ６４が取付けてある。
【００２８】
本窓は、図１２に示すように、上枠カバー５３の通気口５８ｅと、上枠本体５２の室外側の中空部５６に形成した通気口５８ｂ，５８ａとにより、室外空間から中間層３に連通する室外側通気部４が形成されている。室外側通気部４の室内側の通気口５８ａが内周側に向けて開口して設けてあるので、空気を室外から室内に流すときに室外側通気部４から流入する空気は、外側ガラス１４の内側面に沿うように下向きに流れる。さらに、通気口５８ａの下方に見付壁５９ａ，５９ｂと整流体６０を設けてあるので、より確実に空気を下向きに流すことができる。また、整流体６０が設けてあることで、内側ガラス２６の外側面に沿って上昇した温かい空気が、室外側通気部４から流入する冷たい空気と混ざるのを防ぐことができる。また、室外側通気部４の室外側の通気口５８ｅが下向きに開口して設けてあり、且つ通気口５８ｅの室外側に垂下片６３が設けてあることで、室外側通気部４からの雨水の浸入を防止できる。
また本窓は、上枠本体５２の室内側の中空部５７に形成した通気口５８ｃ，５８ｄと、樹脂カバー５４に形成した通気口５８ｆとにより、中間層３から室内空間に連通する室内側通気部５が形成されている。室内側通気部５の室外側の通気口５８ｃが内周側に向けて開口してに設けてあることで、空気を室内から室外に流すときに室内側通気部５から中間層３に流出する空気は、内側ガラス２６の外側面に沿うように下向きに流れる。
このように本実施形態の窓も、他の実施形態と同様に、中間層３内に外側ガラス１４の内側面と内側ガラス２６の外側面に沿うように迂回する空気の流れをつくることができる。
【００２９】
図１４は、本発明の窓の第１１実施形態を示している。本実施形態は、中間層３に整流体としてブラインド６５が取付けてある。
ブラインド６５は、上枠４５の室外側の中空部５６と室内側の中空部５７の間の熱伝導遮断位置（断熱ブリッジ５５）に取付けてある。ブラインド６５の下端と下枠４６の内周側面との間には、隙間が設けてある。
【００３０】
このように、中間層３に整流体としてブラインド６５を設置した場合も、板状の整流体６０を設置した場合と同様に、中間層３内の空気の流れを外側ガラス１４の内側面と内側ガラス２６の外側面に沿うように迂回させることができる上、中間層３を室内外に仕切って外側ガラス１４の内側面に沿う空気の流れと内側ガラス２６の外側面に沿う空気の流れとが混ざらないようにすることができる。
ブラインド６５は、上枠４５の熱伝導遮断位置（断熱ブリッジ５５）の内周側に設けてあることで、ブラインド６５上部の結露が抑えられる。
【００３１】
以上に述べたように本窓（図１，２，３，４，１２，１４に記載のもの）は、外側ガラス１４と内側仕切体（内側ガラス）２６とを備え、室外空間から外側ガラス１４と内側仕切体２６の間の中間層３に連通する室外側通気部４と、中間層３から室内空間に連通する室内側通気部５を有し、室外空間から中間層３に連通する室外側通気部４は、室外側通気部４の室内側の通気口６，５８ａが内周側に向けて開口して設けてあり、室外と連通して外側ガラス１４の内側面に沿って一方向に空気が流れ、中間層３の端部付近で折り返し、室内と連通して内側仕切体２６の外側面に沿って他方向に空気が流れることで、室内から室外に逃げる熱を回収し、室内と連通して内側仕切体２６の外側面に沿って一方向に空気が流れ、中間層３の端部付近で折り返し、室外と連通して外側ガラス１４の内側面に沿って他方向に空気が流れることで、室外から室内に入ってくる熱を室外に捨てることで、窓からの熱の出入りを減らし、冷暖房負荷を抑えることができる。
【００３２】
本窓（図４，５，６，８，１２，１４に記載のもの）は、外側ガラス１４と内側仕切体（内側ガラス）２６とを備え、室外空間から外側ガラス１４と内側仕切体２６の間の中間層３に連通する室外側通気部４と、中間層３から室内空間に連通する室内側通気部５を有し、中間層３から室内空間に連通する室内側通気部５は、室内側通気部５の室外側の通気口７，５８ｃが内周側に向けて開口して設けてあり、室外と連通して外側ガラス１４の内側面に沿って一方向に空気が流れ、中間層３の端部付近で折り返し、室内と連通して内側仕切体２６の外側面に沿って他方向に空気が流れることで、室内から室外に逃げる熱を回収し、室内と連通して内側仕切体２６の外側面に沿って一方向に空気が流れ、中間層３の端部付近で折り返し、室外と連通して外側ガラス１４の内側面に沿って他方向に空気が流れることで、室外から室内に入ってくる熱を室外に捨てることで、窓からの熱の出入りを減らし、冷暖房負荷を抑えることができる。
【００３３】
本窓（図７〜１１に記載のもの）は、外側ガラス１４と内側仕切体（内側ガラス）２６とを備え、室外空間から外側ガラス１４と内側仕切体２６の間の中間層３に連通する室外側通気部４と、中間層３から室内空間に連通する室内側通気部５を有し、室外空間から中間層３に連通する室外側通気部４の室内側の通気口２０の室内側に対向して見付壁３７，４１が位置しており、見付壁３７，４１により空気の流れを外側ガラス１４の内周側に沿わせてあり、室外と連通して外側ガラス１４の内側面に沿って一方向に空気が流れ、中間層３の端部付近で折り返し、室内と連通して内側仕切体２６の外側面に沿って他方向に空気が流れることで、室内から室外に逃げる熱を回収し、室内と連通して内側仕切体２６の外側面に沿って一方向に空気が流れ、中間層３の端部付近で折り返し、室外と連通して外側ガラス１４の内側面に沿って他方向に空気が流れることで、室外から室内に入ってくる熱を室外に捨てることで、窓からの熱の出入りを減らし、冷暖房負荷を抑えることができる。なお、図７及び図１１に記載のもので、空気を室内から室外に向けて流す場合には、室内側通気部５から中間層３に流出する空気の流れを内周側に向けるための整流体（図８のフィン３８参照）を備えることが好ましい。
【００３４】
本発明は以上に述べた実施形態に限定されない。外窓と内窓の形態は任意であり、引違い窓に限らず、嵌め殺し窓や開き窓等であってもよい。外窓及び内窓の納まりは、適宜変更することができる。また、外窓と内窓を備える二重窓に限らず、一つの枠に外側ガラスと内側ガラスを支持した単体サッシであってもよい。
室外空間から中間層に連通する室外側通気部、中間層から室内空間に連通する室内側通気部はどこに形成してあってもよく、例えば縦枠や下枠に設けてあったり、上框と上枠との隙間を通気部とし、その隙間から空気が流入・流出するものであってもよい。通気口の具体的な形状は問わない。外窓と内窓の枠は、一体に形成してあってもよい。
内側仕切体は、中間層と室内空間とに仕切るものであればよく、内側ガラスの他、カーテン、ロールスクリーン、障子等であってもよい。
請求項１〜３中の「中間層の端部付近で折り返し」には、例えば、枠内に障子を設けた単体サッシの場合に、空気が内周側フレーム（下框）の内部で折り返すもの、内周側フレーム（下框）と外周側フレーム（下枠）との間で折り返すもの、外周側フレーム（下枠）内で折り返すもののいずれも含まれる。
本発明の窓は、空気が流れる向きが室外から室内だけのもの、室内から室外だけのもの、室外から室内と室内から室外の両方向に空気が流れるものの何れであってもよい。本発明は、新築の建物に外窓と内窓を新たに設置する場合の他、既存の単体のサッシ（外窓）が取付けられた窓に、後から内窓を増設して二重窓とする場合にも適用でき、既存の外窓を利用することで、コストが抑えられる。
【符号の説明】
【００３５】
１  外窓
２  内窓
３  中間層
４  室外側通気部
５  室内側通気部
１４  外側ガラス
２６  内側ガラス（内側仕切体）
６，７，２０，５８ａ，５８ｃ  通気口
３７  見付壁
４１  垂れ壁（見付壁）
【図１】
2020125673.tif 000003
【図２】
2020125673.tif 000004
【図３】
2020125673.tif 000005
【図４】
2020125673.tif 000006
【図５】
2020125673.tif 000007
【図６】
2020125673.tif 000008
【図７】
2020125673.tif 000009
【図８】
2020125673.tif 000010
【図９】
2020125673.tif 000011
【図１０】
2020125673.tif 000012
【図１１】
2020125673.tif 000013
【図１２】
2020125673.tif 000014
【図１３】
2020125673.tif 000015
【図１４】
2020125673.tif 000016